(57)【要約】【課題】表示装置を動作させていない状態では、遮光部と透光部との境界が視認されず一体のミラーであり、表示装置を動作させている状態では、透光部で鮮明な画像を表示する表示機能を有する表示装置付きミラーの提供を目的とする。【解決手段】透明面材と、表示装置とを備え、前記透明面材は金属薄膜を有し、かつ、透光部を有するように遮光部が形成されており、前記透光部に粘着層を介して前記表示装置の画像を表示する表示部が接合されている表示装置付きミラー。
2016170997.tif 000002
【特許請求の範囲】
【請求項１】
透明面材と、表示装置とを備え、
前記透明面材は金属薄膜を有し、かつ、透光部を有するように遮光部が形成されており、
前記透光部に粘着層を介して前記表示装置の画像を表示する表示部が接合されている
ことを特徴とする表示装置付きミラー。
【請求項２】
前記遮光部は、前記金属薄膜と前記表示装置との間に形成されている
ことを特徴とする請求項１に記載の表示装置付きミラー。
【請求項３】
前記透明面材は、一方の面に前記金属薄膜が形成され、他方の面に前記遮光部が形成されている
ことを特徴とする請求項１又は２に記載の表示装置付きミラー。
【請求項４】
前記金属薄膜は、波長が４００〜６００ｎｍにおける平均反射率が２０〜５０％である
ことを特徴とする請求項１から３の何れか一項に記載の表示装置付きミラー。
【請求項５】
前記金属薄膜は、波長が４００〜６００ｎｍにおける平均透過率が５０％以上である
ことを特徴とする請求項１から４の何れか一項に記載の表示装置付きミラー。
【請求項６】
前記粘着層は、２５℃で１Ｈｚにおける貯蔵せん断弾性率Ｇ’が、１０３〜１０７Ｐａである
ことを特徴とする請求項１から５の何れか一項に記載の表示装置付きミラー。
【請求項７】
前記遮光部は、波長が４００〜６００ｎｍにおける平均透過率が１％以下である
ことを特徴とする請求項１から６の何れか一項に記載の表示装置付きミラー。
【請求項８】
前記表示装置が、液晶ディスプレイ装置である
ことを特徴とする請求項１から７の何れか一項に記載の表示装置付きミラー。
【発明の詳細な説明】
【技術分野】
【０００１】
本発明は、表示装置がミラーの一面に直接貼合されている表示装置付きミラーに関する。
【背景技術】
【０００２】
ミラーと表示装置とを一体として構成する例として、ミラーの一部に透光部を形成し、透光部の背面に表示装置を配置して、ミラーを見ながら表示装置の表示面を見ることができる例が知られている（特許文献１および２）。【０００３】
特許文献１には、薄型の表示装置の前面側にハーフミラーを配置した薄型表示装置が記載されている。特許文献１に記載のハーフミラーは、ガラス板の裏面に表示装置を有し、表示装置を有する領域を透光領域とし、表示装置を有しない領域に遮光層を形成している。特許文献１に記載の構成では、金属薄膜層をガラス板の表示装置を有する面に設けられており、金属薄膜層と遮光層との間に透明フィルムを設けている。このため、透光領域を透過する光の強度が低い。【０００４】
特許文献２には、表示装置付きの車両用ミラーが記載されている。この車両用ミラーは、ガラス板の前面の全部に光透過性でハーフミラー用の金属薄膜層が形成されており、ガラス板の裏面の一部に光透過窓が形成されるように黒色塗装膜が形成されている。そして、光透過窓に対向した位置に液晶表装置が配設されている。
【先行技術文献】
【特許文献】
【０００５】
【特許文献１】特開２０１１−７１９７３号公報
【特許文献２】特開２００２−６７８０６号公報
【発明の概要】
【発明が解決しようとする課題】
【０００６】
従来の例では、表示装置を動作させていない状態（オフ時）では、透光部を十分に黒くできず、透光部と遮光部の境界が視認されていた。また、従来の例では、表示装置を動作させている状態（オン時）では、透明面材（ガラス板）を通して画像を見ると、多重反射により表示画像が不鮮明になる問題があり、鮮明な画像を表示するには、反射像の強さを相対的に小さくするために表示装置の光の強度を高くする必要があった。【０００７】
本発明は、上記課題に鑑みてなされたものであって、表示装置のオフ時には、遮光部と透光部との境界が視認されず、表示装置のオン時には、透光部に鮮明な画像を表示する表示装置付きミラーの提供を目的とする。
【課題を解決するための手段】
【０００８】
本発明者らの検討によると、表示装置の画像を表示する表示部と透明面材とを、粘着層を介して接合することにより、表示装置および透明面材の表面における多重反射が低減されて、上記課題を解決できることを見出し、本発明に至った。【０００９】
すなわち、本発明の表示装置付きミラーは、透明面材と、表示装置とを備え、前記透明面材は金属薄膜を有し、かつ、透光部を有するように遮光部が形成されており、前記透光部に粘着層を介して前記表示装置の画像を表示する表示部が接合されていることを特徴とする。
【発明の効果】
【００１０】
本発明の表示装置付きミラーによれば、表示装置のオフ時には、遮光部と透光部との境界が視認されず、表示装置のオン時には、透光部に鮮明な表示画像を表示できる。
【図面の簡単な説明】
【００１１】
【図１】本発明の実施形態における表示装置付きミラーの正面図である。
【図２】図１のＡ−Ａ断面概略図である。
【図３Ａ】透明面材が単板である表示装置付きミラーの断面図である。
【図３Ｂ】透明面材が単板である表示装置付きミラーの断面図である。
【図４Ａ】透明面材が積層体である表示装置付きミラーの断面図である。
【図４Ｂ】透明面材が積層体である表示装置付きミラーの断面図である。
【図４Ｃ】透明面材が積層体である表示装置付きミラーの断面図である。
【図４Ｄ】透明面材が積層体である表示装置付きミラーの断面図である。
【図４Ｅ】透明面材が積層体である表示装置付きミラーの断面図である。
【図４Ｆ】透明面材が積層体である表示装置付きミラーの断面図である。
【図４Ｇ】透明面材が積層体である表示装置付きミラーの断面図である。
【図４Ｈ】透明面材が積層体である表示装置付きミラーの断面図である。
【図４Ｉ】透明面材が積層体である表示装置付きミラーの断面図である。
【図４Ｊ】透明面材が積層体である表示装置付きミラーの断面図である。
【図５】従来の表示装置を有するミラーの断面概略図である。
【発明を実施するための形態】
【００１２】
以下、図面を参照して発明を実施するための形態を説明する。各図面において、同一構成部分には同一符号を付し、重複した説明を省略する場合がある。
【００１３】
［表示装置付きミラー］
図１は、実施形態における表示装置付きミラー１００を例示する図である。また、図２は、図１のＡ−Ａ断面概略図である。なお、図１及び図２において、Ｘ方向は表示装置付きミラー１００の幅方向、Ｙ方向は表示装置付きミラー１００の厚さ方向、Ｚ方向は表示装置付きミラー１００の高さ方向である。
【００１４】
本実施形態の表示装置付きミラー１００は、図１に示すように、正面図において、透光部１と鏡面部２とを有する。本実施形態の表示装置付きミラー１００は、図２に示すように、一方の面に金属薄膜２０を有し、他方の面に透光部１を有するように遮光部４０が形成されている透明面材１０を有し、透明面材１０の他方の面には前記透光部１に対応する位置に粘着層１１を介して表示装置３０の画像を表示する表示部が接合されている。
【００１５】
本実施形態の表示装置付きミラー１００は、透明面材１０の一方の面に金属薄膜２０を設け、他方の面に遮光部４０を設けている領域において、表示装置のオン時およびオフ時に鏡面部２となる。そして、本実施形態の表示装置付きミラー１００は、表示装置３０のオン時には、透光部１に表示画像が表示され、表示装置３０のオフ時には、透光部１が鏡面となる。その結果、表示装置のオフ時には、透光部１と鏡面部２との境界が視認されず、一体のミラーが得られる。
【００１６】
なお、以下において、透明面材１０の表示装置３０を設けた面を背面、透明面材１０の金属薄膜２０を設けた面を前面として説明する。
【００１７】
＜透明面材＞
透明面材１０は、例えばソーダライムガラス、アルミノシリケートガラス、アルミノボロシリケートガラス、無アルカリガラス等の無機ガラス、もしくはポリカーボネート樹脂、アクリル樹脂等からなる透明樹脂である。また、透明面材１０は、複数のガラス板が中間膜で貼り合わされた合わせガラス、またはガラス板と透明樹脂もしくは透明樹脂と透明樹脂とが中間膜で貼り合わされた積層体であってもよい。合わせガラス及び積層体に用いられる中間膜は公知の材料を使用できる。例えば、ＰＶＢ（ポリビニルブチラール）やＥＶＡ（エチレンビニルアセテート）等が挙げられる。
【００１８】
なお、合わせガラスおよび積層体を構成する無機ガラスおよび透明樹脂の数は限定されない。例えば、３枚の無機ガラスを有する合わせガラスでもよい。
【００１９】
透明面材１０が無機ガラスである場合には、例えば化学強化処理又は物理強化処理等の表面強化処理が施されていてもよい。
【００２０】
本実施形態における透明面材１０は矩形であるが、矩形以外の任意の形状であってもよい。また、透明面材１０の厚さは、例えば２〜６ｍｍである。
【００２１】
透明面材１０は、金属薄膜２０及び遮光部４０を有し、遮光部４０が透光部１を形成するように設けられている。金属薄膜２０及び遮光部４０は、透明面材１０の同一の面上に設けられてもよく、それぞれ異なる面上に設けられてもよい。透光部１と鏡面部２との境界の視認性を低減するために、遮光部４０が金属薄膜２０と表示装置３０との間に形成されていることが好ましい。
【００２２】
＜金属薄膜＞
透明面材１０の一面には、金属薄膜２０が設けられている。透明面材１０の一面に金属薄膜２０を設けることで、透明面材１０を単独で用いた場合よりも可視光線（光の波長が４００〜６００ｎｍの範囲。以下同じ。）が反射される。そして、透明面材１０の背面に遮光部４０を設けると、透明面材１０に鏡面部２が形成される。
【００２３】
金属薄膜２０は透明面材１０の前面（表示部と対向しない面）に設けることが好ましい。これにより、可視光線を反射する効果がより顕著になり、表示装置付きミラーの意匠性が向上する。
【００２４】
金属薄膜２０は、金属、金属酸化物または金属窒化物の膜である。金属薄膜は、単一の膜からなってもよく、複数の膜で構成されてもよい。金属薄膜２０は、透明面材１０の表面に直接形成してもよく、金属薄膜２０を有するフィルムを透明面材１０に粘着層で貼合して形成してもよい。この場合の粘着層は限定されない。
【００２５】
金属薄膜２０の可視光線の平均反射率は、例えば１０〜９０％である。前記平均反射率は、反射像を鮮明にする場合には５０％超で９０％以下が好ましく、表示装置３０の透過像を鮮明にしたい場合には、２０〜５０％が好ましい。平均反射率が２０〜５０％の範囲にあれば、表示装置３０がオフ時の透光部１と鏡面部２とで像再現性に優れたミラーにできる。表示装置３０のオン時に透光部１で鮮明な表示画像を表示でき、表示装置３０のオフ時に透光部１と鏡面部２とで像再現性に優れたミラーが得られる点で、金属薄膜２０の可視光線の平均反射率は、２５〜４５％がより好ましく、３０〜４０％がさらに好ましい。ここで、像再現性に優れたミラーとは、ミラー面に像の存在を確認できる程度では無く、像の色と形状が明確に理解できる程度の再現性をいう。
【００２６】
金属薄膜２０は、可視光線の平均透過率が高いことが好ましく、赤外線（光の波長が８００〜２０００ｎｍの範囲。以下同じ。）を反射する膜であることが好ましい。可視光線の平均透過率を高くすることで、透明面材１０の背面（表示部と対向する面）に粘着層１１を介して接合されている表示装置３０から出射された光を十分に透過できて、鮮明な像を表示できる。また、赤外線の反射率を高くすることで、外部の熱が透明面材１０から内部へと伝わらず、表示装置３０の熱損傷を低減できる。
【００２７】
金属薄膜２０の可視光線の平均透過率は、５０％以上が好ましい。平均透過率が５０％以上であれば、表示装置３０がオン時の透光部１で鮮明な表示画像を表示できる。表示画像の鮮明性を向上させる点で、平均透過率は５５％以上がより好ましく、６０％以上がより好ましい。一方で、表示装置３０がオフ時の透光部１と鏡面部２とで像再現性に優れたミラーを得るためには、金属薄膜２０の可視光線の平均透過率は８０％以下が好ましい。
【００２８】
金属薄膜２０の赤外線の平均反射率は、５％以上が好ましく、１０％以上がより好ましい。赤外線の平均反射率が５％以上であれば、表示装置３０の熱損傷を低減できる。
【００２９】
金属薄膜２０の成膜方法は、スパッタリング法、蒸着法、湿式コーティング法等が挙げられる。金属薄膜２０で使用される材料に応じて適切な成膜方法を採用すればよい。なお、上記した成膜方法は、透明面材１０に直接成膜する場合および、フィルムに成膜する場合で同様である。
【００３０】
金属薄膜２０の金属材料としては、Ｓｉ、Ｓｎ、Ｚｎ、Ａｌ、Ｔｉ、ＩｎまたはＣｒが好ましい。金属酸化物は上記した金属の酸化物が好ましい。金属窒化物は、上記した金属の窒化物が好ましい。金属薄膜２０の典型的な材料としては、ＩＴＯ（錫ドープ酸化インジウム）、Ａｌ、コバルト酸化物が挙げられる。
【００３１】
金属薄膜２０の膜厚は全体で、５０〜５００ｎｍが好ましく、１００〜２００ｎｍがより好ましい。複数の金属薄膜で構成される場合、各金属薄膜の膜厚は自由に設定できるが、全体の膜厚を上記した範囲とすることが好ましい。
【００３２】
金属薄膜２０の表面（透明面材１０を設けていない側の面）には、金属薄膜２０の前記した分光特性を低減させない範囲で樹脂薄膜（図示しない）を設けてもよい。樹脂薄膜をもうけることで、防汚性能や易清浄性を付与できるため好ましい。樹脂薄膜としては、フッ素樹脂やシリコーン樹脂等が挙げられる。フッ素樹脂の樹脂薄膜層を設けると、樹脂薄膜は蒸着法、前記した樹脂からなるフィルムを粘着層により貼合して形成できる。
【００３３】
＜遮光部＞
透明面材１０の一面には、透光部１を有するように遮光部４０が形成されている。遮光部４０が形成されていない領域は、透明面材１０の前面側から視認した際に透光部１となる。そして、遮光部４０が形成された領域は、透明面材１０の前面側から視認した際に鏡面部２となる。
【００３４】
遮光部４０は、透明面材１０の背面（表示部と対向する面）に設けることが好ましい。これにより、遮光部４０と透光部１との境界部がより目立たなくなり、意匠性が向上する。
【００３５】
遮光部４０の色は、表示装置３０のオフ時の表示面の色と近い色が好ましい。この構成をとることにより、表示装置３０のオフ時に透光部１と鏡面部２との境界がさらに不鮮明になる。その結果、表示装置付きミラー１００の透光部１と鏡面部２とが一体のミラーが得られる。
【００３６】
表示装置３０が液晶表示装置の場合、表示面は黒色に近い色であるため、遮光部４０は黒色が好ましい。
【００３７】
遮光部４０は、可視光線（光の波長が４００〜６００ｎｍ）の平均透過率が１％以下であることが好ましく、実質的に０％がより好ましい。遮光部４０の平均透過率が１％以下であれば、透明面材１０の前面側から視認した際に背面を視認できず、鏡面として十分に機能する。
【００３８】
透光部１の形状は矩形に限定されず、表示装置の大きさ、表示装置の表示像等に応じて自由に変更できる。
【００３９】
遮光部４０の形成方法としては、透明面材１０に直接形成する方法、遮光部を有する面材を透明面材１０に貼合して形成する方法、可視光線の平均透過率が上記した範囲の樹脂フィルムを貼合する方法等が挙げられる。
【００４０】
透明面材１０に直接形成する方法としては、例えばセラミック顔料を含む塗料を用いたスクリーン印刷、インクジェット印刷等が挙げられる。
【００４１】
遮光部を有する面材を透明面材１０に貼合して形成する方法としては、前記した方法で他の面材に遮光部を形成し、他の面材と透明面材１０とをＰＶＢ（ポリビニルブチラール）等を介して貼合する方法が挙げられる。
【００４２】
可視光線の平均透過率が上記した範囲の樹脂フィルムを貼合する方法としては、例えば、黒色のＰＥＴ（ポリエチレンテレフタレート）フィルムを粘着層により透明面材１０に貼合する方法が挙げられる。
【００４３】
透明面材１０の透光部１の数、透光部１を設ける位置、面積、形状は限定されない。したがって、表示装置付きミラー１００の遮光部４０は、透光部１の数、位置、面積および形状等の所望の設計に応じた形となるように形成される。
【００４４】
＜表示装置＞
透明面材１０の透光部１に対応する位置の背面には、粘着層１１を介して表示装置３０の画像を表示する表示部が接合されている。表示装置３０は、例えば液晶ディスプレイ装置、有機ＥＬディスプレイ装置、プラズマディスプレイ装置等である。表示装置３０は、例えば不図示の記憶装置に記憶されている画像や、ネットワークを介して接続するコンピュータやサーバ等から送信される画像を表示する。
本実施形態の表示装置付きミラー１００では、表示装置３０として、液晶ディスプレイ装置を使用している。液晶ディスプレイ装置においては、表示パネル３１が粘着層１１を介して透明面材１０に接合している。そして、表示パネル３１の背面側にバックライト３２が配置される。
【００４５】
本実施形態の表示装置付きミラー１００は、表示装置３０の画像を表示する表示部と透明面材１０とが粘着層１１を介して接合されているので、透明面材１０の透光部１の背面において、表示装置３０で表示される表示像が反射されにくくなる。その結果、表示装置３０のオン時において、透明面材１０の前面側に鮮明な表示画像を表示できる。
【００４６】
表示装置３０の画像を表示する表示部の面積は、透光部１の面積よりも大きいことが好ましい。この場合、表示部の外周縁が遮光部４０に重複するように設けられている。この構成をすると、透明面材１０の前面から表示部の外周縁が見えなくなることで、透光部１に表示される画像が、透明面材１０の前面側に浮き上がって見える効果が得られる。
【００４７】
表示装置３０は、表示パネル３１とバックライト３２とを保護する筺体を有してもよい。筺体は、粘着層１１とは別の粘着層（図示しない）を介して遮光部４０に接合されることが好ましい。これにより、透明面材１０の前面側から表示装置付きミラー１００を見ても、筺体と透明面材１０との接合部分は確認できず、意匠性に優れる。
【００４８】
＜粘着層＞
本実施形態の表示装置付きミラー１００は、表示装置３０の画像を表示する表示部と透明面材１０の透光部１とが粘着層１１を介して接合されている。この構成により、表示装置付きミラー１００は、表示装置３０のオフ時には、透光部１が鏡面となり透光部１と鏡面部２との境界が不鮮明となる。その結果、表示装置３０のオフ時には、表示装置付きミラー１００は一体のミラーとして機能する。さらに、表示装置３０のオン時には、透明面材１０の透光部１の背面において、表示画像の反射が低減される。その結果、表示装置３０のオン時において、透明面材１０の前面側に鮮明な表示画像を表示できる。さらに、透光部１を通過する表示画像の光の強度が低下しにくいので、表示装置３０の光の強度を高くする必要がない。そのため、表示装置３０の光の強度を高くすることによる発熱や電力消費を低減できる。
【００４９】
粘着層１１は、２５℃で１Ｈｚにおける貯蔵せん断弾性率Ｇ’が、１０３Ｐａ〜１０７Ｐａであることが好ましい。貯蔵せん断弾性率Ｇ’がこの範囲にあれば、粘着層１１と透明面材１０および表示装置３０とが十分に濡れて、かつ、粘着層１１の形状が維持されるので、表示装置３０と透明面材１０とを強固に固定できる。粘着層１１の貯蔵せん断弾性率Ｇ’は、１０４Ｐａ〜１０６Ｐａであることがより好ましく、貯蔵せん断弾性率Ｇ’が１０４Ｐａ〜１０５Ｐａであることがさらに好ましい。
【００５０】
粘着層１１の厚さは、例えば０．０３ｍｍ〜２ｍｍが好ましく、０．１ｍｍ〜１ｍｍがより好ましい。粘着層１１の厚さが０．０３ｍｍ以上であれば、透明面材１０の前面側から外力等が加わった際に、粘着層１１が外力による衝撃を十分に低減し、表示装置３０を保護できる。また、表示装置３０と透明面材１０との間に、粘着層１１の厚さ未満の寸法の異物が混入しても、粘着層１１の厚さが変化しないため、異物混入による視認性への影響が抑制される。さらに、表示装置３０の表示部の視認性を確保する観点から、粘着層１１の厚さは２ｍｍ以下であることが好ましい。
【００５１】
［他の表示装置付きミラーの例］
図３Ａ及び図３Ｂは、透明面材１０として前記無機ガラス又は透明樹脂の一枚を用いた例の断面図である。図４Ａ〜図４Ｊは、透明面材１０として合わせガラス又は積層体を用いた例の断面図である。本発明の表示装置付きミラーは、これらのような形態とすることができる。
【００５２】
図３Ａに示す表示装置付きミラー１０１Ａは、透明面材１０の前面に金属薄膜２０と遮光部４０を有する。遮光部４０は、金属薄膜２０と表示装置３０との間に形成されている。そして、透明面材１０の背面は、粘着層１１を介して表示装置３０の表示部と接合されている。
【００５３】
図３Ｂで示す表示装置付きミラー１０１Ｂは、透明面材１０の背面に金属薄膜２０と遮光部４０を有する。遮光部４０は、金属薄膜２０と表示装置３０との間に形成されている。そして、透明面材１０の背面は粘着層１１を介して表示装置３０の表示部と接合されている。
【００５４】
図４Ａ〜図４Ｊは透明面材１０として、第１のガラス板と第２のガラス板をＰＶＢ（ポリビニルブチラール）の中間膜を介して貼り合わされた合わせガラスを用いた例である。以下の説明では、透明面材１０の前面（表示部と対向しない面）のガラス板を第１のガラス板１０Ａとし、透明面材１０の背面（表示部と対向する面）のガラス板を第２のガラス板１０Ｂとして説明する。
【００５５】
図４Ａに示す表示装置付きミラー１０２Ａは、透明面材１０の第１のガラス板１０Ａの中間膜１３と接しない面に金属薄膜２０と遮光部４０を有する。遮光部４０は、金属薄膜２０と表示装置３０との間に形成されている。そして、透明面材１０の第２のガラス板１０Ｂは、粘着層１１を介して表示装置３０の表示部と接合されている。
【００５６】
図４Ｂに示す表示装置付きミラー１０２Ｂは、透明面材１０の第１のガラス板１０Ａの中間膜１３と接しない面に金属薄膜２０を有し、中間膜１３と接する面に遮光部４０を有している。そして、透明面材１０の第２のガラス板１０Ｂは、粘着層１１を介して表示装置３０の表示部と接合されている。
【００５７】
図４Ｃに示す表示装置付きミラー１０２Ｃは、透明面材１０の第１のガラス板１０Ａの中間膜１３と接しない面に金属薄膜２０を有している。そして、透明面材１０の第２のガラス板１０Ｂの中間膜１３と接する面に遮光部４０を有し、中間膜１３と接しない面は、粘着層１１を介して表示装置３０の表示部と接合されている。
【００５８】
図４Ｄに示す表示装置付きミラー１０２Ｄは、透明面材１０の第１のガラス板１０Ａの中間膜１３と接しない面に金属薄膜２０を有している。そして、透明面材１０の第２のガラス板１０Ｂの中間膜１３と接しない面に遮光部４０を有し、同じ面が粘着層１１を介して表示装置３０の表示部と接合されている。
【００５９】
図４Ｅに示す表示装置付きミラー１０２Ｅは、透明面材１０の第１のガラス板１０Ａの中間膜１３と接する面に金属薄膜２０および遮光部４０を有する。遮光部４０は、金属薄膜２０と表示装置３０との間に形成されている。そして、透明面材１０の第２のガラス板１０Ｂは、粘着層１１を介して表示装置３０の表示部と接合されている。
【００６０】
図４Ｆに示す表示装置付きミラー１０２Ｆは、透明面材１０の第１のガラス板１０Ａの中間膜１３と接する面に金属薄膜２０を有している。そして、第２のガラス板１０Ｂの中間膜１３と接する面に遮光部４０を有し、中間膜１３と接しない面は、粘着層１１を介して表示装置３０の表示部と接合されている。
【００６１】
図４Ｇに示す表示装置付きミラー１０２Ｇは、透明面材１０の第１のガラス板１０Ａの中間膜１３と接する面に金属薄膜２０を有している。そして、第２のガラス板１０Ｂの中間膜１３と接しない面に遮光部４０を有し、同じ面が粘着層１１を介して表示装置３０の表示部と接合されている。
【００６２】
図４Ｈに示す表示装置付きミラー１０２Ｈは、透明面材１０の第２のガラス板１０Ｂの中間膜１３と接する面に金属薄膜２０と遮光部４０を有する。遮光部４０は、金属薄膜２０と表示装置３０との間に形成されている。そして、第２のガラス板１０Ｂの中間膜１３と接しない面は粘着層１１を介して表示装置３０の表示部と接合されている。
【００６３】
図４Ｉに示す表示装置付きミラー１０２Ｉは、透明面材１０の第２のガラス板１０Ｂの中間膜１３と接する面に金属薄膜２０を有し、中間膜１３と接しない面に遮光部４０を有している。そして、第２のガラス板１０Ｂの中間膜１３と接しない面は粘着層１１を介して表示装置３０の表示部と接合されている。
【００６４】
図４Ｊに示す表示装置付きミラー１−２Ｊは、透明面材１０の第２のガラス板１０Ｂの中間膜１３と接しない面に金属薄膜２０と遮光部４０を有する。遮光部４０は、金属薄膜２０と表示装置３０との間に形成されている。そして、第２のガラス板１０Ｂの中間膜１３と接しない面は粘着層１１を介して表示装置３０の表示部と接合されている。
【００６５】
以上、実施形態に係る表示装置付きミラーについて説明したが、本発明は上記実施形態に限定されるものではなく、本発明の範囲内で種々の変形及び改良が可能である。
【００６６】
［従来の表示装置を有するミラー］
図５に従来の表示装置を有するミラー２００の断面概略図を示す。図５に示すように、従来の表示装置を有するミラー２００は、一方の面に金属薄膜２０を有し、他方の面に透光部１が設けられるように遮光部４０が形成されている透明面材１０を有し、透明面材１０の他方の面には前記透光部１に対向して表示装置３０が配置されている。
【００６７】
表示装置を有するミラー２００は、表示装置３０の筺体の周辺部が図示しない粘着層により遮光部４０と接合されているので、透光部１の背面側と表示装置３０との間には空気層１２ができる。この構成では、表示装置３０のオフ時には、透光部１と鏡面部２との境界が鮮明となる。その結果、表示装置を有するミラー２００は、表示装置３０のオフ時には、透光部１と鏡面部２とが鮮明になり、意匠性が低い。さらに、この構成では、表示装置３０のオン時には、透光部１の背面および表示装置３０の前面で多重反射が起こる。その結果、表示装置を有するミラー２００は、表示装置３０のオン時には、透明面材１０の前面側から視認した際に表示画像が不鮮明になる。また、表示画像の光の強度を高くするためには、表示装置３０の光の強度を高くする必要がある。
【００６８】
＜表示装置付きミラーの設置例＞
本実施形態における表示装置付きミラー１００は、例えば店舗の間仕切りや柱等に設けられ、顧客が表示装置３０に表示される商品の情報や売り場案内等を取得するのに用いることができる。さらに、衣料品店に設けられる場合には、顧客が色やデザインの異なる様々な商品を試着した姿を仮想的に表示装置３０に表示し、顧客に様々な商品を試着した姿を確認させることができる。また、衣料品店の試着室に設けられる場合には、カメラにより試着している顧客の後ろ姿を撮影して表示装置３０に表示し、顧客に商品を試着した後ろ姿を確認させることができる。なお、表示装置付きミラー１００の用途は上記例に限られるものではない。
【００６９】
以上で説明したように、本実施形態の表示装置付きミラー１００によれば、表示装置３０が透明面材１０の透光部１の背面に粘着層１１を介して接合されることで、表示装置３０に表示される画像の視認性が向上する。
【００７０】
本国際出願は、２０１５年４月２１日に出願された日本国特許出願２０１５−０８７０７５号に基づく優先権を主張するものであり、日本国特許出願２０１５−０８７０７５号の全内容を本国際出願に援用する。
【符号の説明】
【００７１】
１      透光部
２      鏡面部
１０    透明面材
１１    粘着層
１２    空気層
２０    金属薄膜
３０    表示装置
３１    表示パネル
３２    バックライト
１００  表示装置付きミラー
【図１】
2016170997.tif 000003
【図２】
2016170997.tif 000004
【図３Ａ】
2016170997.tif 000005
【図３Ｂ】
2016170997.tif 000006
【図４Ａ】
2016170997.tif 000007
【図４Ｂ】
2016170997.tif 000008
【図４Ｃ】
2016170997.tif 000009
【図４Ｄ】
2016170997.tif 000010
【図４Ｅ】
2016170997.tif 000011
【図４Ｆ】
2016170997.tif 000012
【図４Ｇ】
2016170997.tif 000013
【図４Ｈ】
2016170997.tif 000014
【図４Ｉ】
2016170997.tif 000015
【図４Ｊ】
2016170997.tif 000016
【図５】
2016170997.tif 000017
【国際調査報告】
2016170997.tif 000018
2016170997.tif 000019
2016170997.tif 000020
2016170997.tif 000021